(57)【要約】【課題】  被統合画像サーバの画像データについても、クライアント端末からは統合画像サーバへのアクセスのみで画像データを取得できる画像データ管理システムを実現する。【解決手段】  ネットワークを介して被統合画像サーバの画像データを統合サーバに移管すると共に、前記ネットワークを介してクライアント端末が前記画像データを取得する画像データ管理システムにおいて、  前記統合サーバは、前記クライアント端末のデータ取得要求を受付け、当該要求データが移管済みの場合には、自己が保管する画像データを前記クライアント端末に渡すと共に、移管済みでない場合には、前記被統合サーバより画像データを取得して前記クライアント端末に渡す。【選択図】                    図１
2009169773.tif 000002
【特許請求の範囲】
【請求項１】
ネットワークを介して被統合画像サーバの画像データを統合サーバに移管すると共に、前記ネットワークを介してクライアント端末が前記画像データを取得する画像データ管理システムにおいて、
前記統合サーバは、前記クライアント端末のデータ取得要求を受付け、当該要求データが移管済みの場合には、自己が保管する画像データを前記クライアント端末に渡すと共に、移管済みでない場合には、前記被統合サーバより画像データを取得して前記クライアント端末に渡すことを特徴とする画像データ管理システム。
【請求項２】
前記統合サーバ及び前記被統合サーバは、所定の周期で画像データを前記被統合サーバから前記統合サーバ移管するための定周期処理部を備えることを特徴とする請求項１に記載の画像データ管理システム。
【請求項３】
前記被統合サーバは、前記統合サーバのデータ要求に対して自が保管する画像データを検索して前記統合サーバに渡す検索サービス部を備えることを特徴とする請求項１または２に記載の画像データ管理システム。
【請求項４】
前記統合サーバは、前記ネットワーク上にある複数の被統合サーバと通信して定周期のデータ移管並びにデータ要求を実行することを特徴とする請求項１乃至３のいずれかに記載の画像データ管理システム。
【請求項５】
前記画像データは、医用画像データであることを特徴とする請求項１乃至４のいずれかに記載の画像データ管理システム。
【発明の詳細な説明】
【技術分野】
【０００１】
本発明は、ネットワークを介して被統合画像サーバの画像データを統合サーバに移管すると共に、前記ネットワークを介してクライアント端末が前記画像データを取得する画像データ管理システムに関するものである。
【背景技術】
【０００２】
膨大な医用画像データ等を保持する画像サーバのデータを、ネットワークを介してクライアント端末から検索して取得する画像データ管理システムでは、システムを更新するために、ネットワーク上の１台または複数台の画像サーバの画像データを、１台の新サーバに統合する必要がしばしばある。
【０００３】
図２は、新サーバに統合する際の従来の画像データ管理システムの構成例を示す機能ブロック図である。統合画像サーバ１と被統合画像サーバ２は、ネットワーク３に接続され、このネットワークを介して被統合画像サーバ２の画像データが統合画像サーバ１に転送される。
【０００４】
膨大な医用画像データ等の画像データの転送は、ネットワーク３のトラフィック制約もあり、長期間を要する。データの統合期間中も管理システムを稼動させる必要上、ネットワーク３に接続されるクライアント端末４１〜４ｎは、移行済みの画像データの取得には統合サーバ１にアクセスし、移行処理前の画像データの取得には被統合画像サーバ２にアクセスする構成をとる。
【０００５】
【特許文献１】特開２００２−２４５１７３号公報
【発明の開示】
【発明が解決しようとする課題】
【０００６】
従来の画像データ管理システムでは、次のような問題がある。
（１）膨大なデータを移行するには多大な時間がかかり、その移行が終了するまでは、被統合画像サーバにある画像データは、統合画像サーバとは別にわざわざ被統合像サーバへ問い合わせて取得を実行しなければならない、二重構造となる。
【０００７】
（２）また、統合画像サーバにて新たに実装されたアプリケーション機能は、被統合画像サーバにあるデータについては使用できないため、ユーザがクライアント端末から操作する際に、夫々別の検索アプリケーションの操作を行わなければいけないため、操作が煩雑となる。
【０００８】
本発明は上述した問題点を解決するためになされたものであり、被統合画像サーバの画像データについても、クライアント端末からは統合画像サーバへのアクセスのみで画像データを取得できる画像データ管理システムの実現を目的としている。
【課題を解決するための手段】
【０００９】
このような課題を達成するために、本発明は次の通りの構成になっている。
（１）ネットワークを介して被統合画像サーバの画像データを統合サーバに移管すると共に、前記ネットワークを介してクライアント端末が前記画像データを取得する画像データ管理システムにおいて、
前記統合サーバは、前記クライアント端末のデータ取得要求を受付け、当該要求データが移管済みの場合には、自己が保管する画像データを前記クライアント端末に渡すと共に、移管済みでない場合には、前記被統合サーバより画像データを取得して前記クライアント端末に渡すことを特徴とする画像データ管理システム。
【００１０】
（２）前記統合サーバ及び前記被統合サーバは、所定の周期で画像データを前記被統合サーバから前記統合サーバ移管するための定周期処理部を備えることを特徴とする（１）に記載の画像データ管理システム。
【００１１】
（３）前記被統合サーバは、前記統合サーバのデータ要求に対して自が保管する画像データを検索して前記統合サーバに渡す検索サービス部を備えることを特徴とする（１）または（２）に記載の画像データ管理システム。
【００１２】
（４）前記統合サーバは、前記ネットワーク上にある複数の被統合サーバと通信して定周期のデータ移管並びにデータ要求を実行することを特徴とする（１）乃至（３）のいずれかに記載の画像データ管理システム。
【００１３】
（５）前記画像データは、医用画像データであることを特徴とする（１）乃至（４）のいずれかに記載の画像データ管理システム。
【発明の効果】
【００１４】
本発明の構成によれば、次のような効果を期待することができる。
（１）クライアント端末から見ると、ユーザは被統合画像サーバに画像データがあることを意識することなく、統合画像サーバへのアクセスのみにより被統合画像サーバのデータを取得することができる。
【００１５】
（２）統合画像サーバの検索アプリケーションで被統合画像サーバのデータを取得することができるので、ユーザが２種類の検索アプリケーションを操作する煩雑を解消することができる。
【発明を実施するための最良の形態】
【００１６】
以下、本発明を図面により詳細に説明する。図１は、本発明を適用した画像データ管理システムの一実施形態を示す機能ブロック図である。図２で説明した従来システムと同一要素には同一符号を付して説明を省略する。
【００１７】
本発明が適用された統合画像サーバ１００の機能構成は、画像データベース１０１、定周期処理部１０２、書誌データベース１０３、データ取得部１０４、データ要求受付部１０５を備える。
【００１８】
本発明が適用された被統合画像サーバ２００の機能構成は、画像データベース２０１、定周期処理部２０２、書誌データベース２０３、検索サービス部２０４を備える。クライアント端末の機能構成は、４１を代表として示せば、データ要求部４１ａ、データ表示部４１ｂを備える。
【００１９】
画像サーバの統合に際して、まず、被統合画像サーバ２００の書誌データベース２０３の情報が統合画像サーバ１００の処理データベース１０３にネットワーク３を介して転送移管される。この情報はテキストデータであり、短時間に移管することができる。
【００２０】
書誌データ移管後に、被統合画像サーバ２００の定周期処理部２０２と統合画像サーバ１００の定周期処理部１０２により、被統合画像サーバ２００側の画像データベース２０１の画像データを、統合画像サーバ１００側の画像データベース１０１に定周期処理によりデータ移管する。
【００２１】
このデータ移管は、ネットワーク３を介するデータ転送で実現されるが、ネットワーク３トラフィックを勘案した処理速度で実行されるので、膨大なデータの転送には長時間を要する。
【００２２】
移管された画像データに関する書誌的な情報は、書誌データベース１０３に反映される。従って、書誌データベース１０３を参照することで、統合画像サーバ１００側に移管済みの画像データと被統合画像サーバ２００側に残っている未移管の画像データへのアクセス情報を取得することができる。
【００２３】
統合画像サーバ１００側のデータ要求受付部１０５は、ネットワーク３を介してクライアント端末４１のデータ要求部４１ａからのデータ取得要求を受け付け、データ取得部１０４に当該画像データの取得を求める。
【００２４】
データ取得部１０４は、書誌データベース１０３を参照し、要求された画像データが統合画像サーバ１００側の画像データベース１０１に移管済みであるか、被統合画像サーバ２００側の画像データベース２０１側あるかを知る。
【００２５】
要求された画像データが統合画像サーバ１００側の画像データベース１０１に移管済みである場合には、画像データベース１０１に要求して当該画像データを取得してデータ要求受付部１０５及びネットワーク３を介してクライアント端末４１のデータ要求部４１ａに渡し、データ表示部４１ｂに表示させる。
【００２６】
要求された画像データが統合画像サーバ１００側の画像データベース１０１に移管済みでない場合には、被統合画像サーバ２００側の検索サービス部２０４に、画像データベース２０１に対する当該データの検索及び転送依頼を実行し、当該画像データをネットワーク３経由で取得し、クライアント端末４１ａに渡す。
【００２７】
統合画像サーバ１００は、検索サービス部２０４によりネットワーク３を経由して取得した画像データを、クライアント端末４１ａに渡すと共に、画像データベース１０１に追加保存し、その情報を書誌データベース１０３に反映させ、統合画像サーバ１００の管理下におく。
【００２８】
従って、統合画像サーバ１００は、再度クライアント端末４１ａから同一画像データの取得要求を受けた場合には、自己の画像データベース１０１より当該画像データを取得してクライアント端末４１ａにサービスすることができる。
【００２９】
実施形態では、被統合画像サーバ２００は１台構成を例示したが複数台の画像サーバと通信し、夫々の画像データを１台の統合サーバに移管する構成も可能である。
【００３０】
本発明が適用される画像データは、アーカイブ化され、移管に長期間を要する膨大な医療データに対して有効であるが、これに限定されるものではなく、他分野の画像データであってもよい。
【図面の簡単な説明】
【００３１】
【図１】本発明を適用した画像データ管理システムの一実施形態を示す機能ブロック図である。
【図２】従来の画像データ管理システムの構成例を示す機能ブロック図である。
【符号の説明】
【００３２】
３  ネットワーク
４１〜４ｎ  クライアント端末
１００  統合画像サーバ
１０１  画像データベース
１０２  定周期処理部
１０３  書誌データベース
１０４  データ取得部
１０５  データ要求受付部
２００  被統合画像サーバ
２０１  画像データベース
２０２  定周期処理部
２０３  書誌データベース
２０４  検索サービス部
【図１】
2009169773.tif 000003
【図２】
2009169773.tif 000004